【手続補正書】
【提出日】平成16年2月25日(2004.2.25)
【手続補正１】
【補正対象書類名】明細書
【補正対象項目名】発明の名称
【補正方法】変更
【補正の内容】
【発明の名称】決済方法、決済用情報処理方法、決済用情報処理システム及び移動情報端末
【手続補正２】
【補正対象書類名】明細書
【補正対象項目名】特許請求の範囲
【補正方法】変更
【補正の内容】
【特許請求の範囲】
【請求項１】
商品の販売又はサービスの提供を行っている店舗で、移動情報端末を所有する利用者が購入した商品又は該利用者が受けたサービスに対する料金の支払いについて、決済支援機関を介した決済を行う決済方法であって、
該決済支援機関が、該利用者が所有する移動情報端末による通信を管理運営し、該利用者及び該店舗との間で予め交わされた取引契約情報を有する機関であり、
該店舗の料金支払受付用端末装置が、該利用者の移動情報端末に、該商品又は該サービスの料金に関する料金情報を送信するステップと、
該移動情報端末が、通信回線を介して該決済支援機関の決済用情報処理システムに、該料金情報を送信するステップと、
該決済支援機関の決済用情報処理システムが、該決済支援機関と該店舗との間で予め交わされた取引契約情報及び該移動情報端末から受信した該料金情報に基づいて、該決済支援機関から該店舗への該商品又は該サービスの料金の支払いについての決済を処理するステップと、
該店舗と該決済支援機関との間の決済が完了した後、該決済支援機関と該利用者との間で予め交わされた取引契約情報及び該移動情報端末から受信した該料金情報に基づいて、該決済支援機関の決済用情報処理システムが、該利用者から該決済支援機関への該商品又は該サービスの料金の支払いについての決済を処理するステップとを実行することを特徴とする決済方法。
【請求項２】
商品の販売又はサービスの提供を行っている店舗で、移動情報端末を所有する利用者が購入した商品又は該利用者が受けたサービスに対する料金の支払いについて、決済支援機関を介した決済を行うときの決済用情報処理方法であって、
該決済支援機関が、該利用者が所有する移動情報端末による通信を管理運営し、該利用者及び該店舗との間で予め交わされた取引契約情報を有する機関であり、
該利用者の移動情報端末から通信回線を介して、該商品又は該サービスの料金に関する料金情報を受信するステップと、
該決済支援機関と該店舗との間で予め交わされた取引契約情報及び該移動情報端末から受信した該料金情報に基づいて、該店舗に対する該商品又は該サービスの料金の支払いについての決済を処理するステップと、
該店舗に対する決済が完了した後、該決済支援機関と該利用者との間で予め交わされた取引契約情報及び該移動情報端末から受信した該料金情報に基づいて、該利用者からの該商品又は該サービスの料金の支払いについての決済を処理するステップとを実行することを特徴とする決済用情報処理方法。
【請求項３】
商品の販売又はサービスの提供を行っている店舗で、移動情報端末を所有する利用者が購入した商品又は該利用者が受けたサービスに対する料金の支払いについて、決済支援機関を介した決済を行うときに用いる決済用情報処理システムであって、
該利用者及び該店舗との間で予め交わされた取引契約情報を記憶する情報記憶手段と、
該利用者の移動情報端末から通信回線を介して、該商品又は該サービスの料金に関する料金情報を受信する情報受信手段と、
該決済支援機関と該店舗との間で予め交わされた取引契約情報及び該移動情報端末から受信した該料金情報に基づいて、該店舗に対する該商品又は該サービスの料金の支払いについての決済を処理する店舗決済処理手段と、
該店舗に対する決済が完了した後、該決済支援機関と該利用者との間で予め交わされた取引契約情報及び該移動情報端末から受信した該料金情報に基づいて、該利用者からの該商品又は該サービスの料金の支払いについての決済を処理する利用者決済処理手段とを有することを特徴とする決済用情報処理システム。
【請求項４】
請求項３の決済用情報処理システムにおいて、
上記情報記憶手段が、上記利用者の認証に用いる本人確認情報を記憶し、
上記情報受信手段が、上記移動情報端末から本人確認情報を受信し、
上記店舗決済処理手段が、上記決済の前に、該情報記憶手段に記憶されている本人確認情報と、該情報受信手段で該移動情報端末から受信した本人確認情報とに基づいて、該利用者が本人であるか否かの認証を行うことを特徴とする決済用情報処理システム。
【請求項５】
商品の販売又はサービスの提供を行っている店舗で、移動情報端末を所有する利用者が購入した商品又は該利用者が受けたサービスに対する料金の支払いについて、決済支援機関を介した決済を行う決済方法であって、
該決済支援機関が、該利用者が所有する移動情報端末による通信を管理運営する機関であり、
該移動情報端末が、通信回線を介して該決済支援機関に、該商品又は該サービスの料金に関する料金情報を送信するステップと、
該決済支援機関の決済用情報処理システムが、該移動情報端末から受信した該料金情報に基づいて、該決済支援機関から該店舗への該商品又は該サービスの料金の支払いについての決済を処理するステップと、
該店舗と該決済支援機関との間の決済が完了した後、該移動情報端末から受信した該料金情報に基づいて、該決済支援機関の決済用情報処理システムが、該利用者から該決済支援機関への該商品又は該サービスの料金の支払いについての決済を処理するステップとを実行することを特徴とする決済方法。
【請求項６】
請求項５の決済方法において、
上記決済支援機関の決済用情報処理システムは、上記利用者から該決済支援機関への該商品又は該サービスの料金の支払いについての決済を、クレジットカードの管理運営会社の決済管理サーバを介して行うことを特徴とする決済方法。
【請求項７】
請求項５又は６の決済方法において、
上記決済支援機関が、上記利用者及び上記店舗との間で予め交わされた取引契約情報を有していることを特徴とする決済方法。
【請求項８】
請求項１、５、６又は７の決済方法において、
上記決済支援機関の決済用情報処理システムが、通信回線を介して上記移動情報端末に、上記店舗と該決済支援機関との間の決済が完了したことを通知する決済通知情報を送信するステップを実行することを特徴とする決済方法。
【請求項９】
請求項８の決済方法に用いる移動情報端末であって、
上記決済支援機関の決済用情報処理システムから通信回線を介して上記決済通知情報を受信する手段と、
該決済通知情報を表示する手段とを備えたことを特徴とする移動情報端末。
【手続補正３】
【補正対象書類名】明細書
【補正対象項目名】０００１
【補正方法】変更
【補正の内容】
【０００１】
【発明の属する技術分野】
本発明は、新規な決済方法、さらに詳しくは、商品の販売又はサービスの提供を行っている店舗で、移動情報端末を所有する利用者が購入した商品又は該利用者が受けたサービスに対する料金の支払いについて、通信事業者などの決済支援機関を介した決済を行い、クレジットカード未加入店でもクレジットカード決済を可能にする決済方法、決済用情報処理方法、決済用情報処理システム及び移動情報端末に関するものである。


【手続補正４】
【補正対象書類名】明細書
【補正対象項目名】０００４
【補正方法】変更
【補正の内容】
【０００４】
本発明は以上の問題点に鑑みなされたものであり、その目的は、クレジットカード未加入の店舗においても商品やサービスの料金に対するクレジットカード決済が可能になるとともに、店舗にとってはクレジットカードで支払いを受けた場合に比して売り上げた料金をより速やかに回収することが可能になる決済方法、決済用情報処理方法、決済用情報処理システム及び移動情報端末を提供することである。


【手続補正５】
【補正対象書類名】明細書
【補正対象項目名】０００５
【補正方法】変更
【補正の内容】
【０００５】
【課題を解決するための手段】
上記目的を達成するために、請求項１の発明は、商品の販売又はサービスの提供を行っている店舗で、移動情報端末を所有する利用者が購入した商品又は該利用者が受けたサービスに対する料金の支払いについて、決済支援機関を介した決済を行う決済方法であって、該決済支援機関が、該利用者が所有する移動情報端末による通信を管理運営し、該利用者及び該店舗との間で予め交わされた取引契約情報を有する機関であり、該店舗の料金支払受付用端末装置が、該利用者の移動情報端末に、該商品又は該サービスの料金に関する料金情報を送信するステップと、該移動情報端末が、通信回線を介して該決済支援機関の決済用情報処理システムに、該料金情報を送信するステップと、該決済支援機関の決済用情報処理システムが、該決済支援機関と該店舗との間で予め交わされた取引契約情報及び該移動情報端末から受信した該料金情報に基づいて、該決済支援機関から該店舗への該商品又は該サービスの料金の支払いについての決済を処理するステップと、該店舗と該決済支援機関との間の決済が完了した後、該決済支援機関と該利用者との間で予め交わされた取引契約情報及び該移動情報端末から受信した該料金情報に基づいて、該決済支援機関の決済用情報処理システムが、該利用者から該決済支援機関への該商品又は該サービスの料金の支払いについての決済を処理するステップとを実行することを特徴とするものである。


【手続補正６】
【補正対象書類名】明細書
【補正対象項目名】０００６
【補正方法】変更
【補正の内容】
【０００６】
また、請求項２の発明は、商品の販売又はサービスの提供を行っている店舗で、移動情報端末を所有する利用者が購入した商品又は該利用者が受けたサービスに対する料金の支払いについて、決済支援機関を介した決済を行うときの決済用情報処理方法であって、該決済支援機関が、該利用者が所有する移動情報端末による通信を管理運営し、該利用者及び該店舗との間で予め交わされた取引契約情報を有する機関であり、該利用者の移動情報端末から通信回線を介して、該商品又は該サービスの料金に関する料金情報を受信するステップと、該決済支援機関と該店舗との間で予め交わされた取引契約情報及び該移動情報端末から受信した該料金情報に基づいて、該店舗に対する該商品又は該サービスの料金の支払いについての決済を処理するステップと、該店舗に対する決済が完了した後、該決済支援機関と該利用者との間で予め交わされた取引契約情報及び該移動情報端末から受信した該料金情報に基づいて、該利用者からの該商品又は該サービスの料金の支払いについての決済を処理するステップとを実行することを特徴とするものである。


【手続補正７】
【補正対象書類名】明細書
【補正対象項目名】０００７
【補正方法】変更
【補正の内容】
【０００７】
また、請求項３の発明は、商品の販売又はサービスの提供を行っている店舗で、移動情報端末を所有する利用者が購入した商品又は該利用者が受けたサービスに対する料金の支払いについて、決済支援機関を介した決済を行うときに用いる決済用情報処理システムであって、該利用者及び該店舗との間で予め交わされた取引契約情報を記憶する情報記憶手段と、該利用者の移動情報端末から通信回線を介して、該商品又は該サービスの料金に関する料金情報を受信する情報受信手段と、該決済支援機関と該店舗との間で予め交わされた取引契約情報及び該移動情報端末から受信した該料金情報に基づいて、該店舗に対する該商品又は該サービスの料金の支払いについての決済を処理する店舗決済処理手段と、該店舗に対する決済が完了した後、該決済支援機関と該利用者との間で予め交わされた取引契約情報及び該移動情報端末から受信した該料金情報に基づいて、該利用者からの該商品又は該サービスの料金の支払いについての決済を処理する利用者決済処理手段とを有することを特徴とするものである。


【手続補正８】
【補正対象書類名】明細書
【補正対象項目名】０００９
【補正方法】変更
【補正の内容】
【０００９】
請求項１の決済方法、請求項２の決済用情報処理方法及び請求項３の決済用情報処理システムでは、利用者が商品の購入した店舗又はサービスの提供を受けた店舗で、店舗の料金支払受付用端末装置から受けた商品又はサービスの料金に関する料金情報を、利用者の移動情報端末から通信回線を介して決済支援機関の決済用情報処理システムに送信する。この料金情報を受けた決済支援機関の決済用情報処理システムは、店舗との間で予め交わされた取引契約情報と移動情報端末から受信した料金情報とに基づいて、店舗に対する商品又はサービスの料金の支払いについての決済を処理する。決済支援機関は、利用者が所有する移動情報端末による通信を管理運営し、利用者及び店舗との間で予め交わされた取引契約情報を有しているため、上記店舗に対する決済処理を速やかに実行することができ、店舗は、クレジットカードを用いた場合に比して売り上げた料金をより速やかに回収することが可能となる。
また、店舗に対する決済が完了した後、利用者との間で予め交わされた取引契約情報と移動情報端末から受信した料金情報とに基づいて、利用者に対する商品又はサービスの料金の支払いについての決済処理が実行される。これにより、一連の商品販売又はサービス提供の料金に対する決済が完了し、クレジットカード未加入の店舗においても利用者が現金を用意することなく商品やサービスに対する料金を支払うことができる。


【手続補正９】
【補正対象書類名】明細書
【補正対象項目名】００１０
【補正方法】変更
【補正の内容】
【００１０】
請求項４の発明は、請求項３の決済用情報処理システムにおいて、上記情報記憶手段が、上記利用者の認証に用いる本人確認情報を記憶し、上記情報受信手段が、上記移動情報端末から本人確認情報を受信し、上記店舗決済処理手段が、上記決済の前に、該情報記憶手段に記憶されている本人確認情報と、該情報受信手段で該移動情報端末から受信した本人確認情報とに基づいて、該利用者が本人であるか否かの認証を行うことを特徴とするものである。


【手続補正１０】
【補正対象書類名】明細書
【補正対象項目名】００１２
【補正方法】変更
【補正の内容】
【００１２】
上記決済用情報処理システムに用いるコンピュータで、そのコンピュータを決済用情報処理システムにおける各手段として機能させるためのプログラムを実行してもよい。
【手続補正１１】
【補正対象書類名】明細書
【補正対象項目名】００１３
【補正方法】変更
【補正の内容】
【００１３】
上記プログラムを決済用情報処理システムで用いるコンピュータで実行することにより、決済用情報処理システムにおける前述の決済処理を実行することができる。


【手続補正１２】
【補正対象書類名】明細書
【補正対象項目名】００１４
【補正方法】変更
【補正の内容】
【００１４】
なお、上記プログラムの受け渡しは、デジタル情報としてプログラムを記録したＦＤ，ＣＤ−ＲＯＭ等の記録媒体を用いて行なってもいいし、コンピュータネットワーク等の通信回線を用いて行なってもよい。


【手続補正１３】
【補正対象書類名】明細書
【補正対象項目名】００１５
【補正方法】変更
【補正の内容】
【００１５】
請求項５の発明は、商品の販売又はサービスの提供を行っている店舗で、移動情報端末を所有する利用者が購入した商品又は該利用者が受けたサービスに対する料金の支払いについて、決済支援機関を介した決済を行う決済方法であって、該決済支援機関が、該利用者が所有する移動情報端末による通信を管理運営する機関であり、該移動情報端末が、通信回線を介して該決済支援機関に、該商品又は該サービスの料金に関する料金情報を送信するステップと、該決済支援機関の決済用情報処理システムが、該移動情報端末から受信した該料金情報に基づいて、該決済支援機関から該店舗への該商品又は該サービスの料金の支払いについての決済を処理するステップと、該店舗と該決済支援機関との間の決済が完了した後、該移動情報端末から受信した該料金情報に基づいて、該決済支援機関の決済用情報処理システムが、該利用者から該決済支援機関への該商品又は該サービスの料金の支払いについての決済を処理するステップとを実行することを特徴とするものである。


【手続補正１４】
【補正対象書類名】明細書
【補正対象項目名】００１６
【補正方法】変更
【補正の内容】
【００１６】
請求項５の決済方法では、利用者が商品の購入した店舗又はサービスの提供を受けた店舗で、商品又はサービスの料金に関する料金情報を、利用者の移動情報端末から通信回線を介して決済支援機関の決済用情報処理システムに送信する。この料金情報を受けた決済支援機関の決済用情報処理システムは、店舗に対する商品又はサービスの料金の支払いについての決済を処理する。この決済処理により、店舗は、クレジットカードを用いた場合に比して売り上げた料金をより速やかに回収することが可能となる。
また、店舗に対する決済が完了した後、利用者に対する商品又はサービスの料金の支払いについての決済処理が実行される。これにより、一連の商品販売又はサービス提供の料金に対する決済が完了し、クレジットカード未加入の店舗においても利用者が現金を用意することなく商品やサービスに対する料金を支払うことができる。


【手続補正１５】
【補正対象書類名】明細書
【補正対象項目名】００１７
【補正方法】変更
【補正の内容】
【００１７】
請求項６の発明は、請求項５の決済方法において、上記決済支援機関の決済用情報処理システムは、上記利用者から該決済支援機関への該商品又は該サービスの料金の支払いについての決済を、クレジットカードの管理運営会社の決済管理サーバを介して行うことを特徴とするものである。


【手続補正１６】
【補正対象書類名】明細書
【補正対象項目名】００１８
【補正方法】変更
【補正の内容】
【００１８】
請求項６の決済方法では、上記店舗に対する決済が完了した後、利用者に対する商品又はサービスの料金の支払いについての決済処理が、クレジットカードの管理運営会社の決済管理サーバを介して実行される。


【手続補正１７】
【補正対象書類名】明細書
【補正対象項目名】００１９
【補正方法】変更
【補正の内容】
【００１９】
請求項７の発明は、請求項５又は６の決済方法において、上記決済支援機関が、上記利用者及び上記店舗との間で予め交わされた取引契約情報を有していることを特徴とするものである。
請求項７の決済方法では、上記決済支援機関が、利用者及び店舗との間で予め交わされた取引契約情報を有しているため、上記店舗及び利用者に対する決済処理を速やかに実行することができる。
【手続補正１８】
【補正対象書類名】明細書
【補正対象項目名】００２０
【補正方法】変更
【補正の内容】
【００２０】
請求項８の発明は、請求項１、５、６又は７の決済方法において、上記決済支援機関の決済用情報処理システムが、通信回線を介して上記移動情報端末に、上記店舗と該決済支援機関との間の決済が完了したことを通知する決済通知情報を送信するステップを実行することを特徴とするものである。
請求項９の発明は、請求項８の決済方法に用いる移動情報端末であって、上記決済支援機関の決済用情報処理システムから通信回線を介して上記決済通知情報を受信する手段と、該決済通知情報を表示する手段とを備えたことを特徴とするものである。
請求項８の決済方法及び請求項９の移動情報端末では、上記店舗に対する決済が完了したことを通知する決済通知情報が店舗にいる利用者の移動情報端末に通信回線を介して送信されてくるため、この決済通知情報に基づいて、店舗側が決済の事実を確認し、利用者との間の取引を安全に進めることができる。
【手続補正１９】
【補正対象書類名】明細書
【補正対象項目名】００５７
【補正方法】変更
【補正の内容】
【００５７】
【発明の効果】
請求項１乃至９の発明によれば、クレジットカード未加入の店舗においても商品やサービスに対する料金に対するクレジットカード決済が可能になり、店舗にとってはクレジットカードで支払いを受けた場合に比して売り上げた料金をより速やかに回収することが可能となるという優れた効果がある。


【手続補正２０】
【補正対象書類名】明細書
【補正対象項目名】００５９
【補正方法】変更
【補正の内容】
【００５９】
特に、請求項７の発明によれば、上記店舗及び利用者に対する決済処理を速やかに実行することができるという優れた効果がある。